(57)【要約】【課題】既設のスロットを用い、通常運用時と更新作業時とでそのスロットが持つ機能を排他的に切り替えることで更新専用のスロットを不要とし、意匠を改善する。【解決手段】ナビゲーションデータが記憶された記憶部（大容量記憶装置部１５）と、ナビゲーションを行なう制御部２０と、実装される外部装置（２、３）との間でデータ通信を行なうソケット部１７と制御部１５との間に第１のスイッチ１８を介して結線された第１の信号経路（ＣＰＵバス）と、ソケット部１７と記憶部１５との間に第２のスイッチ１９を介して結線された第２の信号経路（ＡＴＡＰＩバス）とを備え、制御部２０は、第１と第２のスイッチ１８、１９を制御して、外部装置（２、３）と記憶部１５との間で行なわれ更新データの転送を制御する。【選択図】図１
2008157983.tif 000002
【特許請求の範囲】
【請求項１】
ナビゲーションデータが記憶された記憶部と、
前記ナビゲーションデータに基づきナビゲーションを行なう制御部と、
接続される外部装置との間でデータ通信を行なうソケット部と、
前記ソケット部と前記制御部との間に第１のスイッチを介して結線された第１の信号経路と、
前記ソケット部と前記記憶部との間に第２のスイッチを介して結線された第２の信号経路とを備え、
前記制御部は、
前記外部装置が前記ソケット部に実装されたことを検知して前記第１と第２のスイッチを制御して前記第２の信号経路を有効とし、前記外部装置と前記記憶部との間で行なわれるデータ転送を制御することを特徴とするナビゲーション装置。
【請求項２】
前記第１の信号経路は、ＰＣカード規格に準拠した第１のインタフェースを有し、
前記第２の信号経路は、ＡＴＡＰＩ（ATA Attachment Packet Interface）規格に準拠した第２のインタフェースを有することを特徴とする請求項１記載のナビゲーション装置。
【請求項３】
前記第１の信号経路が有する信号線数は、前記第２の信号経路が有する信号線数より少ないことを特徴とする請求項１または請求項２記載のナビゲーション装置。
【請求項４】
少なくとも、操作部と、記憶部と、制御部と、ソケット部と、前記ソケット部と前記制御部との間に第１のスイッチを介して結線された第１の信号経路と、前記ソケット部と前記記憶部との間に第２のスイッチを介して結線された第２の信号経路とを備え、前記操作部を介して入力されるデータに基づき、ナビゲーションを実行する通常運用モードと、前記記憶部に記憶されたナビゲーションデータを更新する更新作業モードとからなる動作モードを切り替え実行するナビゲーション装置と、
前記ナビゲーション装置が前記更新作業モードにある場合に、前記外部ソケットに実装される外部装置とを備え、
前記ナビゲーション装置の制御部は、
前記操作部を介して前記更新作業モードが設定され、かつ、前記外部装置が前記ソケット部に実装されたことを検知した場合に、前記第１と第２のスイッチを制御して前記第２の信号経路を有効とし、前記外部装置と前記記憶部との間で行なわれる更新データの転送を制御することを特徴とするナビゲーションデータ更新システム。
【請求項５】
前記制御部は、
前記ソケット部に前記外部装置が実装されたことを検知して接続状態を記憶する外部装置実装検知部と、
前記ソケット部に実装された外部装置とのインタフェースを司る外部インタフェース制御部と、
主制御部の制御により、前記外部インタフェース制御部を介して前記記憶部に記憶されたナビゲーション情報のリードライト制御を行なう記憶制御部と、
前記操作部を介して設定される動作モードにしたがい、前記第１、第２の信号経路のスイッチをＯＮ／ＯＦＦ設定するスイッチ制御部と、
前記動作モードが通常運用モードであった場合に、前記外部装置との間で前記第１の信号経路を用いたデータ転送制御を行ない、前記動作モードが更新作業モードであり、かつ、前記部装置実装検知部で記憶された状態情報が有意の場合に、前記外部装置との間で前記第２の信号経路を用いてデータ転送制御を行なう主制御部と、
を有することを特徴とする請求項４記載のナビゲーションデータ更新システム。
【発明の詳細な説明】
【技術分野】
【０００１】
この発明は、特に、大容量ＨＤＤ（Hard Disk Drive）を内蔵した車載器における地図データの更新に用いて好適な、ナビゲーション装置およびナビゲーションデータ更新システムに関するものである。
【背景技術】
【０００２】
近年、ハードディスク（以下、ＨＤＤという）の高密度化、大容量化が進み、カーナビケーションを行う車載器においても、従来の光ディスクに代えて内蔵されるようになった。従来、この大容量ＨＤＤに記憶されている地図データやプログラムを更新するのに、車載器付属の光ディスク装置を利用し、あるいは、更新のための専用のスロットを用意してフラッシュメモリ等ＰＣカード等を実装し、これら記録媒体に記録された更新データを読み込んで内蔵のＨＤＤに書き込む必要があった。
【０００３】
ところで、従来、ＨＤＤ等の外部メモリに記憶されたデータを更新する技術は多数出願されており、例えば、車載器が有するＲＯＭの情報を変更するのに、携帯電話を介して読み込まれた修正プログラムをＨＤＤに記憶させて制御内容を変更させる技術（例えば、特許文献１参照）、最新の地図データを利用できるように、端末にメモリカードを装着してサーバにアクセスしてダウンロード入手し、専用のスロットを介して車載器に取り込む技術（例えば、特許文献２参照）、地図データ更新の差異の時間やコストを削減するために、更新すべきエリアの地図データの取得をサーバに依頼し、サーバから取得した地図データをＨＤＤに書き込んで地図データを順次更新する技術（例えば、特許文献３参照）等が知られている。
【０００４】
【特許文献１】特開２００２−２１１２２７号公報
【特許文献２】特開２００２−４９６２４号公報
【特許文献３】特開２００５−２８３８８０号公報
【発明の開示】
【発明が解決しようとする課題】
【０００５】
ところで、光ディスク装置は、ディスク１枚あたりの記憶容量に制限があるため、大容量化が進む内蔵ＨＤＤの更新作業に用いる場合には複数枚の光ディスクを用意する必要がある（例えば、ＤＶＤの場合、容量４．７ＧＢ／枚）。また、更新速度が比較的低速（例えば、ＤＶＤの場合、その読み取りのための転送速度は最大でも１１．１Ｍｂｐｓ）であるため、作業完了までに多くの時間を必要としていた。
【０００６】
また、更新専用のスロットを用意した場合、高速なインタフェースを用いれば更新速度を速くすることができ（例えば、１６ビットＰＣカードの場合、最大で６２．７２Ｍｂｐｓ、容量は最大で４ＧＢ程度）、更新作業にかかる時間は短縮されるが、製品に専用のコネクタを常設しておく必要があり、また、通常、専用のスロットは、フロントコンソールに配置（ユーザから見える位置）されるため、見た目にフロントマスクが複雑になり、意匠面での不都合が生じる。
【０００７】
このため、カーナビゲーション装置の背面などに専用のスロットを配置して意匠面での不都合を解消することが考えられるが、この場合、データ更新の必要が生じた際に、外部からそのスロットに専用コネクタを接続する必要がある。したがって、例えば、車両に既に取付けられた状態にあるカーナビゲーション装置を、一旦取り外すなどの面倒な作業が発生し、そのための労力を必要としていた。これらの課題を解決するための手段、および方法は、上記した特許文献１〜特許文献３のいずれにも開示されておらず、また、その示唆さえない。
【０００８】
この発明は上記した課題を解決するためになされたものであり、既設のスロットを用い、通常運用時と更新作業時とでそのスロットが持つ機能を排他的に切り替えることにより、ナビゲーションデータ更新のための専用のスロットを不要とし、かつ、フロントマスクにおける意匠面の不都合も解消した、ナビゲーション装置およびナビゲーションデータ更新システムを提供することを目的とする。
【課題を解決するための手段】
【０００９】
この発明に係るナビゲーション装置は、ナビゲーションデータが記憶された記憶部と、ナビゲーションデータに基づきナビゲーションを行なう制御部と、実装される外部装置との間でデータ通信を行なうソケット部と、ソケット部と制御部との間に第１のスイッチを介して結線された第１の信号経路と、ソケット部と記憶部との間に第２のスイッチを介して結線された第２の信号経路とを備え、制御部は、外部装置がソケット部に実装されたことを検知して第１と第２のスイッチを制御して第２の信号経路を有効とし、外部装置と記憶部との間で行なわれる更新データの転送を制御するものである。
【００１０】
この発明に係るナビゲーションテータ更新システムは、少なくとも、操作部と、記憶部と、制御部と、ソケット部と、ソケット部と制御部との間に第１のスイッチを介して結線された第１の信号経路と、ソケット部と記憶部との間に第２のスイッチを介して結線された第２の信号経路とを備え、操作部より入力されるデータに基づき、ナビゲーションを実行する通常運用モードと、記憶部に記憶されたナビゲーションデータを更新する更新作業モードとを切り替え実行するナビゲーション装置と、ナビゲーション装置が更新作業モードにある場合、外部ソケットにインタフェースブリッジ装置を介して実装される外部装置と、を備え、ナビゲーション装置の制御部は、操作部を介して更新作業モードが設定され、かつ、外部装置がインタフェースブリッジ装置を介してソケット部に実装されたことを検知した場合に、第１と第２のスイッチを制御して第２の信号経路を有効とし、外部装置と記憶部との間で行なわれる更新データの転送を制御するものである。
【発明の効果】
【００１１】
この発明によれば、既設のスロット（ソケット部）を用い、通常運用時と更新作業時とでそのスロットが持つ機能を排他的に切り替えることにより、ナビゲーションデータ更新のための専用のスロットを不要とするため、部品点数の削減がはかれ、かつ、フロントマスクの意匠面の不都合も解消することができる。
【発明を実施するための最良の形態】
【００１２】
図１は、この発明の実施の形態に係るナビゲーションデータ更新システムの接続構成を示すブロック図である。
図１に示されるように、この発明の実施の形態に係るナビゲーションデータ更新システムは、ナビゲーションを行なうナビゲーション装置１と、ナビゲーション装置１と後述する更新装置３との間の接続を仲介するインタフェースブリッジ装置２と、ナビゲーションデータの更新データを生成、あるいは記憶している、例えば、パーソナルコンピュータ（以下、ＰＣという）等の更新装置３とにより構成される。
【００１３】
図１に示されるように、ナビゲーション装置１は、操作部１１と、音声処理部１２と、表示部１３と、光ディスク駆動部１４と、大容量記憶装置部１５と、外部インタフェース制御部１６と、既設のソケット部としての常設外部インタフェーススロット１７と、ナビゲーションのための制御中枢となる制御部２０とにより構成される。
【００１４】
操作部１１は、ユーザが所定のキーを押下することにより生成される信号を取り込んで制御部２０へ引き渡す。ここでは、ナビゲーション装置１の動作モードとしての通常運用モードと、更新作業モードとを切替えるモード制御信号を生成し、制御部２０へ出力する。
また、音声処理部１２は、不図示のマイクロホンを介して音声を取得して制御部２０へ取り込み、あるいは制御部２０により生成される音声信号を不図示のスピーカへ出力する。また、表示部１３は、例えば、ＬＣＤ（Liquid Crystal Display）により構成され、制御部２０により生成されるデータを表示する。
【００１５】
光ディスク駆動部１４は、装填される光ディスクから地図情報等のナビゲーションデータを読み出して制御部２０へ取り込み、あるいは、制御部２０により生成されるデータを書き込む。
なお、大容量記憶装置部１５は、具体的にはＨＤＤであり、制御部２０から出力されるリードライトコマンドによりアクセスされる他、常設外部インタフェーススロット１７に実装される外部装置（インタフェースブリッジ装置２を介して接続される更新装置３）によってもアクセスされ、所望のデータがリードライトされる。ここでは、大容量記憶装置部１５には、地図データ等のナビゲーションデータやプログラムデータ等が記憶されているものとする。
【００１６】
制御部２０は、通常運用モードにおいて、大容量記憶装置部１５からナビゲーションデータを読み出し、例えば、現在地表示、目的地誘導等のナビゲーション処理を実行する。なお、制御部２０には、不図示の通信ネットワークを介して通信データが提供されてもよい。この通信データの中には、上記した通常運用モードと、更新作業モードとを切替えるモード制御信号が含まれるものとする。
【００１７】
一方、常設外部インタフェーススロット１７は、既設のスロットであり、外部インタフェース制御部１６とは、スイッチ１８を含む信号経路Ａ（第１の信号経路）を介して接続され、また、大容量記憶装置部１５とは、スイッチ１９を含む信号経路Ｂ（第２の信号経路）を介して接続される。スイッチ１８、１９は、操作部１１により、あるいは通信ネットワークを介し通信機器から出力される動作モード信号（通常運用モード／更新作業モード）に基づき、主制御部２０によって切替え制御される。スイッチ１８、１９は、いずれか一方がＯＮしているとき他方がＯＦＦ制御され、いずれの状態にあっても必ず一方がＯＮしているものとする。
【００１８】
制御部２０は、外部装置、ここでは、インタフェースブリッジ装置２が常設外部インタフェーススロット１７に実装されたことを制御ライン４０を介して検知することにより、スイッチ１８、１９を制御して信号経路Ｂを有効とし（この場合、更新作業モードであるため、スイッチ１８がＯＦＦ、スイッチ１９がＯＮ）、更新装置３と、ナビゲーション装置１内蔵の大容量記憶装置部１５との間で行なわれる更新データの転送を制御する。
なお、インタフェースブリッジ装置２は、例えば、ＰＣＭＣＩＡ（Personal Computer Memory Card International Association）カードから成る特殊な高速アクセスカードである。詳細は後述する。
【００１９】
なお、信号経路Ａは、ＰＣカード規格に準拠したインタフェースを有し、信号経路Ｂは、ＡＴＡＰＩ規格に準拠したインタフェースを有し、また、信号経路Ａで規定された信号線数（端子数）は、信号経路Ｂで規定された信号線数（端子数）より少ないものとする。
【００２０】
ここでいう、ＰＣカード規格とは、６８ピンの信号アサイン、インタフェース仕様、タイミングが規定され、カードサイズは、８５．６×５４．０ｍｍで厚さの違いにより、タイプＩ、ＩＩ、ＩＩＩがある、８／１６／３２ビットのデータバスを併せ持った拡張バスをいう。
このＰＣカード規格によれば、カード属性情報を判定した後にコンフィグュレーションを行い、各ＰＣカードが持つ機能に切り替わる仕組みになっている。
【００２１】
一方、ＡＴＡ（AT Attachment）は、ＩＤＥ（Integrated Drive Electronics）インタフェースを有するＨＤＤのＡＮＳＩ（American National Standard Institute）における標準規格の総称であり、この中でＨＤＤ以外の機器を接続するための規格をＡＴＡＰＩと呼んでいる。また、ＡＴＡＰＩ４に発展する段階でUltra DMAと呼ばれる転送方式が追加された。
Ultra DMAとは、接続される機器に記憶されたデータを、ＣＰＵに依存することなくＤＭＡ（Direct Memory Access）に転送を任せる方式をいい、Ultra DMA mode4によれば、最大転送速度５２８Ｍｂｐｓを実現する。以下に詳述する本発明の実施の形態に係るナビゲーションデータ更新システムは、更新作業モードりおいては、このUltra DMA mode4に基づくＡＴＡＰＩバスインタフェースを利用することを前提に説明を行う。
【００２２】
図２は、図１に示すナビゲーション装置の制御中枢となる制御部２０の内部構成を機能展開して示したブロック図である。
図２に示されるように、制御部２０は、主制御部２００と、外部インタフェース制御部２０１と、大容量記憶制御部２０２と、外部装置接続検知部２０３と、ブリッジ接続フラグ２０４と、スイッチ制御部２０５とにより構成される。
なお、図２中、図１と同じ番号が付されたブロックは、図１に示すそれと同じ名称、機能を持つブロックであるものとする。
【００２３】
外部インタフェース制御部２０１は、常設外部インタフェーススロット１７に実装される不図示のＰＣカード（例えば、フラッシュメモリ）と、ナビゲーション装置１（制御部２０）とのインタフェースを司り、スイッチ１８がＯＮ状態のとき、主制御部２００よる制御の下でＰＣカードとの間でスイッチ１８を含む第１の信号経路を用いたデータ転送制御を行なう機能を持つ。また、大容量記憶制御部２０２は、主制御部２００による制御の下で、接続される大容量記憶装置部１５（ＨＤＤ）のリードライト制御を行なう。ここでは、後述するＤＭＡ転送を制御するインタフェースブリッジ装置２内蔵の大容量記憶制御部２１とは動作が異なることから大容量記憶制御部２０２とした。
【００２４】
一方、外部装置接続検知部２０３は、常設外部インタフェーススロット１７に外部装置としてのインタフェースブリッジ装置２が実装されたか否かを検出し、検出状態を示す状態情報としてブリッジ接続フラグ２０４をＯＮ／ＯＦＦ設定する機能を持つ。
なお、ブリッジ接続フラグ２０４は、ここでは、便宜上、外部装置接続検知部２０３に接続されるものとして示したが、実際は、主制御部２００の内部メモリの所定の領域に割当てられ、記憶されるものである。
【００２５】
また、スイッチ制御部２０５は、主制御部２００よる制御の下、操作部１１を介し、あるいは不図示の通信ネットワークを介して通常運用モードの設定があった場合に、スイッチ１８、１９を制御（スイッチ１８をＯＮ、スイッチ１９をＯＦＦ）する。このことにより、主制御部２００は、ＰＣカードとの間で第１の信号経路（以下、ＣＰＵバスという）を用いたデータ転送制御を行なうことができる。
主制御部２００は、操作部１１を介し、あるいは不図示の通信ネットワークを介して更新作業モードの設定があり、かつ、ブリッジ接続フラグ２０４がＯＮ設定されていた場合に、スイッチ１８、１９を制御（スイッチ１８をＯＦＦ、スイッチ１９をＯＮ）する。このことにより、常設外部インタフェーススロット１７に、インタフェースブリッジ装置２を介して接続される更新装置３は、大容量記憶装置部１５との間で第２の信号経路（以下、ＡＴＡＰＩバスという）を用いてＤＭＡ転送制御を行なうことができる。
【００２６】
なお、主制御部２００は、上記したスイッチ１８、１９のＯＮ／ＯＦＦ制御の他に、外部インタフェース制御部２０１を介し、常設外部ンタフェーススロット１７に実装されるＰＣカードと大容量記憶装置部１５との間のデータ転送を制御し、また、ナビゲーション装置１に接続される、操作部１１、音声処理部１２、表示装置１３、光ディスク駆動部１４、ＨＤＤ１５等ペリフェラルの管理も行なう。
【００２７】
説明を図１に戻す。インタフェースブリッジ装置２は、常設外部インタフェーススロット１７に実装される特殊なＰＣＭＣＩＡカードから成る高速アクセスカードであり、ナビゲーション装置１とは、ナビゲーション装置１に内蔵された大容量記憶装置部１５との間でＤＭＡ転送を行なう大容量記憶装置制御部Ａ（２１）を介して接続され、また、更新装置３とは、ＵＳＢ（Universal Serial Bus）等の汎用高速インタフェース２２を介して接続される。このため、ＡＴＡＰＩバスとＵＳＢの両インタフェースを仲介するバス変換部２３を内蔵するものとする。
また、更新装置３は、インタフェースブリッジ装置２とは、ＵＳＢ等、内蔵の汎用高速インタフェース３０を介して接続される、ＰＣ等から成る更新データ生成装置である。ここでは、インタフェースブリッジ装置２と更新装置３とを組で外部装置と呼んでいる。
【００２８】
図３は、この発明の実施の形態に係るナビゲーション装置およびナビゲーションデータ更新システムの動作を説明するために引用したフローチャートである。
以下、図３に示すフローチャートを参照しながら、図１、図２に示すこの発明の実施の形態に係るナビゲーション装置およびナビゲーションデータ更新システムの動作について詳細に説明する。
【００２９】
ナビゲーション装置は、デフォルトの状態で通常運用モードにあり、制御部２０は、大容量記憶装置部１５に記憶されたナビゲーション情報を用いて、現在地表示、目的地誘導等のナビゲーション処理を実行している。
通常運用モードにあっては、制御部２０（主制御部２００）は、スイッチ１８を含む信号経路Ａ（ＣＰＵバス）を有効とするため、常設外部インタフェーススロット１７に、例えば、ＰＣカードが実装された場合、そのＰＣカードと、スイッチ１８を含む信号経路Ａ、外部インタフェース制御装置１６、ならびに制御部２０を介したデータ交換が行なわれる。
【００３０】
次に、ナビゲーション装置１が内蔵するＨＤＤ等の大容量記憶装置部１５の記憶内容を、外部接続される更新装置３とインタフェースブリッジ装置２からなる外部装置により、更新する場合の動作手順について説明する。
まず、ユーザは、ナビゲーション装置１を、操作部１１を操作することにより、あるいは外部の通信装置から通信ネットワーク経由で到来する更新作業モード信号により、更新作業待機状態に設定する（ステップＳＴ３０１）。続いて、常設外部インタフェーススロット１７にインタフェースブリッジ装置２を挿入（実装）する。
【００３１】
常設外部インタフェーススロット１７に、インタフェースブリッジ装置２が実装されると、外部装置接続検知部２０３が、制御ライン４０を介して到来する信号により機器ＩＤ等を識別することにより（ステップＳＴ３０２“Ｙｅｓ”）、ブリッジ接続フラグ２０４をＯＮ設定する。したがって、主制御部２００は、このブリッジ接続フラグ２０４を監視することにより、インタフェースブリッジ装置１１が接続されたか否かを判定することができる。
【００３２】
ここで、インタフェースブリッジ装置２の接続が検知されると（ステップＳＴ３０３“Ｙｅｓ”）、主制御部２００は、外部インタフェース制御部２０１を介した大容量記憶装置部１５の動作を制限するため、スイッチ制御部２０５を介してスイッチ１８をＯＦＦ制御して信号経路Ａを無効にする（ステップＳＴ３０４）。また、スイッチ１９をＯＮ制御して信号経路Ｂを有効にして大容量記憶装置部１５とインタフェースブリッジ装置２を接続し（ステップＳＴ３０５）、大容量記憶装置部１５と常設外部インタフェーススロット１７を制御部２０の制御から開放する。
すなわち、以上の動作により、ナビゲーション装置１が内蔵する大容量記憶装置部１５と、常設外部インタフェーススロット１７を介して外部接続される更新装置３との間の高速ＤＭＡ転送の準備が整ったことになる。
【００３３】
次に、インタフェースブリッジ装置２は、内蔵する大容量記憶制御部２１により、ナビゲーション装置１内蔵の大容量記憶装置１５との接続のための初期化処理を開始し（ステップＳＴ３０６）、接続初期化処理完了後（ステップＳＴ３０７“Ｙｅｓ”）、更新装置３は、インタフェースブリッジ装置１１を経由して大容量記憶装置部１５に接続される。
ここで、接続初期化処理とは、常設外部インタフェーススロット１７が制御部２０の制御から開放されていること、および大容量記憶装置部１５がＲＥＡＤＹ状態にあることの確認、そして、データ更新装置３による、転送先（記憶装置制御部１５）のアドレスと転送データ長からなるパラメータの設定を行うことをいう。
【００３４】
以上の準備工程を経て大容量記憶装置部１５のデータ更新処理が開始される（ステップＳＴ３０８）。すなわち、インタフェースブリッジ装置２が内蔵する大容量記憶制御部２１は、汎用高速インタフェース部２２とバス変換部２３経由でデータ更新装置２（汎用高速バスインタフェース部３０経由）から指定長のデータを読み出し、第２の信号経路（ＡＴＡＰＩバス）経由で大容量記憶装置部１５に書き込む。
上記した本発明の実施の形態によれば、インタフェースブリッジ装置２を介し、大容量記憶装置部１５と更新装置２との間で、最大転送速度４８０Ｍｂｐｓのデータ転送を実現することができる。
【００３５】
上記したデータ更新処理が終了すると（ステップＳＴ３０９“Ｙｅｓ”）、更新装置３は、大容量記憶装置部１５とインタフェースブリッジ装置２との接続終了処理を行い（ステップＳＴ３１０）、接続終了処理完了後（ステップＳＴ３１１“Ｙｅｓ”）、常設外部インフェーススロット１７とインタフェースブリッジ装置２とが切り離される（ステップＳＴ３１２）。ここで、接続終了処理とは、データ更新装置３がナビゲーション装置１（制御部２０）に対して転送終了通知を発行する処理をいう。
このことにより、ナビゲーション装置１の再起動処理が実行され（ステップＳＴ３１３）、動作モードがデフォルトの通常運用モードに復帰し、スイッチ１８を含む信号経路Ａ（ＣＰＵバス）が有効と成り、ナビゲーション装置１は、通常動作を再開することができる。
【００３６】
上記したこの発明の実施の形態に係るナビゲーションデータ更新システムによれば、常設外部インタフェーススロット１７を、通常運用モード時と更新作業モード時とで排他的に共用することかでき、このため、データ更新専用のインタフェーススロットを不要とし、部品点数の削減がはかれ、また、インタフェーススロット数の削減によりフロントコンソールの意匠が簡素化されるため意匠面での不都合も解消される。
更に、大容量記憶装置部１５とインタフェースブリッジ装置２が直結されるため、装置間では冗長な処理が、割り込み転送速度を低下させることなく高速転送を実現できる。具体的には、従来の光ディスクを用いてナビゲーションデータを更新した場合の１０倍以上の処理速度の改善が期待できる。
【００３７】
なお、図１において、ナビゲーション装置１の制御部２０（図２の主制御部２００）は、具体的には、マイクロプロセッサ（ＣＰＵ）により実現されるものであり、内蔵のメモリ（例えば、ＲＯＭ）、あるいは大容量記憶装置部１５に記憶されたプログラムを逐次読み出し実行することにより、大容量記憶装置部１５に記憶されたナビゲーションデータに基づきナビゲーションを行なう制御を実行する他、外部装置（インタフェースブリッジ装置２）がソケット部（常設外部インタフェーススロット１７）に実装されたことを検知し、第１と第２のスイッチ（スイッチ１８、１９）を制御して第２の信号経路（ＡＴＡＰＩバス）を有効とし、外部装置（更新装置３）と記憶部（大容量記憶装置部１５）との間で行なわれデータ転送を制御する機能を実現するものである。
また、その周辺装置である操作部１１、音声処理部１２、表示部１３、光ディスク駆動部１４、大容量記憶装置部１５（ＨＤＤ）、外部インタフェース制御部１６、常設外部インタフェーススロット１７のそれぞれとは、いずれも入出力ポートを介して市販の周辺ＬＳＩ（入出力コントローラ）により接続される、所謂マイクロコンピュータシステムにより実現されるものである。
【００３８】
以上、この発明の実施の形態につき図面を参照して詳述したが、具体的な構成はこの実施の形態に限られるものではなく、この発明の要旨を逸脱しない範囲の設計等も含まれる。
【図面の簡単な説明】
【００３９】
【図１】この発明の実施の形態に係るナビゲーションデータ更新システムの接続構成を示すブロック図である。
【図２】図１に示すナビゲーション装置における制御部の内部構成を機能展開して示したブロック図である。
【図３】この発明の実施の形態に係るナビゲーションデータ更新システムの動作を説明するために引用したフローチャートである。
【符号の説明】
【００４０】
１  ナビゲーション装置、２  インタフェースブリッジ装置、３  更新装置、１１  操作部、１２  音声処理部、１３  表示部、１４  光ディスク駆動部、１５  大容量記憶装置部（記憶部）、１６  外部インタフェース制御部、１７  常設外部インタフェーススロット（ソケット部）、２０  制御部、２１  大容量記憶制御部、２２，３０  汎用高速インタフェース部、２３  バス変換部、２００  主制御部、２０１  外部インタフェース制御部、２０２  大容量記憶制御部、２０３  外部装置接続検知部、２０４  ブリッジ接続フラグ、２０５  スイッチ制御部。
【図１】
2008157983.tif 000003
【図２】
2008157983.tif 000004
【図３】
2008157983.tif 000005